(57)【要約】本発明は、製品(１０)を供給する装置(１)に関し、装置は複数の製品(１０)を貯蔵するためのコンパートメント(２)と反対側の除去領域(１１)を備え、コンパートメント上にて１以上の製品(１０)が除去領域(１１)に除去されて、除去領域(１１)上にてバネによって予め張力を掛けられたスライダ(４、１２)が１つの製品(１０)に対して位置し、製品(１０)が除去されるとき供給方向に動かされる。製品のストックを記録するためのセンサが配備され、動きセンサ(３６)がスライダ(４、１２)上に配置されて、該動きセンサによってスライダ(４、１２)の動きが検出されて、スライダ(４、１２)が動くときに、製品のストックを記録する少なくとも１つの測定が実行される。本発明は更に、複数の製品(１０)を有するコンパートメント(２)における製品のストックを記録する方法に関する。【選択図】図２
2020508833.tif 000002
【特許請求の範囲】
【請求項１】
複数の製品(１０)を貯蔵するためのコンパートメント(２)と反対側の除去領域(１１)を備え、製品(１０)を供給するための装置(１)に関し、コンパートメント上にて１以上の製品(１０)が除去領域(１１)に除去されて、除去領域(１１)上にてバネによって予め張力を掛けられたスライダ(４、１２)が１つの製品(１０)に対して位置し、製品(１０)が除去されるとき供給方向に動かされる装置(１)において、
製品のストックを記録するためのセンサがスライダ(４、１２)上に配備されて、該センサはスライダとともに移動可能であり、且つ動きセンサ(３６)がスライダ(４、１２)上に配置されて、該動きセンサによってスライダ(４、１２)の動きが検出されて、スライダ(４、１２)が動くときに、製品のストックを記録する少なくとも１つの測定が実行される、装置(１)。
【請求項２】
製品のストックを記録するためのセンサは、距離測定を実行する光学センサ(３３)である、請求項１に記載の装置。
【請求項３】
スライダ(１２、１２‘)上に回路基板(３０、５６、６４)が設けられ、回路基板は動きセンサ(３６)及び製品のストックを記録するためのセンサを備える、請求項１又は２に記載の装置。
【請求項４】
回路基板(３０、５６、６４)上に評価用電子機器(３１)が配備された、請求項３に記載の装置。
【請求項５】
回路基板(３０、５６、６４)は、スライダ(４)に取り外し可能に固定されたホルダ(５５)又はハウジング(２０、２１；２０‘、２１’、６０)上、又はホルダ(５５)又はハウジング(２０、２１；２０‘、２１’、６０)内に配置された、請求項３又は４に記載の装置。
【請求項６】
通信ユニットがスライダ(１２、１２‘)上に配備され、該スライダによって測定データが制御ユニットに送信される、請求項１乃至５の何れかに記載の装置。
【請求項７】
スライダ(１２、１２‘)及び製品のストックを記録するためのセンサを特定のコンパートメントに割り当てるための入力ユニット(３４)が配備されて、スライダ(１２、１２’)の識別によって除去された製品(１０)の識別が可能になる、請求項１乃至６の何れかに記載の装置。
【請求項８】
装置における温度を、評価用電子機器(３１)及び/又は制御ユニットに送信する温度センサが設けられた、請求項１乃至７の何れかに記載の装置。
【請求項９】
スライダ(４、１２、１２‘)は製品(１０)を除去領域(１１)に供給する供給装置として構成された、請求項１乃至８の何れかに記載の装置。
【請求項１０】
電源供給部(３７)がスライダ(１２)に、又はスライダ(１２)内に配備された、請求項１乃至９の何れかに記載の装置。
【請求項１１】
複数の製品(１０)を有するコンパートメント(２)における製品のストックを記録する方法であって、
除去領域(１１)から製品(１０)を引き出すステップと、
他の製品(１０)をコンパートメント(２)に残すようにシフトするステップと、
バネによって予め張力を掛けられ、その上に動きセンサ(３６)を有するスライダ(４、１２、１２‘)によってスライドの動きを検出するステップと、
製品のストックを記録するためにセンサの測定をトリガーするステップであって、センサは、スライダ(４、１２)上に配置されて動きセンサ(３６)の信号によって製品のストックを記録するためにスライダとともに移動可能であるステップを備える、方法。
【請求項１２】
スライダが再び静止したときは、製品のストックを記録するための測定は、スライダ(４、１２、１２‘)が移動した後に行なわれる、請求項１１に記載の方法。
【発明の詳細な説明】
【技術分野】
【０００１】
本発明は、複数の製品を貯蔵するためのコンパートメントと反対側の除去領域を含む、製品を供給するための装置に関し、コンパートメント上にて１以上の製品が除去領域に除去されて、除去領域上にてバネによって予め張力を掛けられたスライダが１つの製品に対して位置し、製品が除去されるとき供給方向に動かされ、センサが製品のストックを記録するために配備される。本発明は複数の製品を有するコンパートメント上の製品のストックを記録する方法に関する。
【背景技術】
【０００２】
米国特許第８２６０４５６号は、製品コンパートメントにスライダが設けられ、それにより製品を除去領域に運ぶことができる製品を供給するための装置を開示している。スライダがレールに沿って案内され、センサが除去領域の反対側の後部領域に提供され、センサによってスライダの位置を検出することができる。スライダの位置を記録することにより、継続的な在庫監視が実行される。しかし、製品のストックを記録するための構造的支出が個々のコンパートメントで高いことは不利であり、更に継続的な在庫監視のために、高いエネルギーの必要があり、電力グリッドへの接続が必要である。
【０００３】
従って、本発明の目的は、簡単な手段で製品の在庫を検出することを可能にする、製品を供給する装置ならびに製品のストックを検出する方法を生成することである。
この目的は、請求項１の特徴を備えた装置と、請求項１２の特徴を備えた方法によって解決される。
【発明の概要】
【０００４】
本発明に従って、バネによって予め張力を掛けられたスライダは、スライダの移動を検出できる動きセンサを含み、製品のストックを記録するためにスライダの移動中又は移動後に少なくとも１つの測定を実行する。これにより、製品のストックは確実に検出され又は記録され、測定はスライダが動かされ又は既に動かされたときのみ実行され、期間の残りの間、製品の記録された量は、製品のストックを記録するためのセンサによって、もはや測定されない。製品のストックを記録するための測定は殆ど行われないため、エネルギー消費は大幅に削減され、このために必要なエネルギーは、バッテリや充電式バッテリーなどの蓄電デバイスによって提供でき、電源への複雑な配線は不要である。
【０００５】
製品のストックを記録するためのセンサはスライダ上に配置されており、スライダとともに移動できるのが好ましい。センサは、スライダに取り付けたり、保持部やキャリアに後付けすることができる。何れの場合でも、センサとスライダは移動ユニットを形成する。
【０００６】
製品のストックを記録するためのセンサは、距離測定を実行する光学センサを含むことが好ましい。固定点(例えば、後壁)に対するスライダの位置を検出することにより、除去領域とスライダの間に前後に配置された製品の長さは簡単に計算でき、製品の厚さに基づいて、コンパートメントに残っている製品の数も決定され得る。光学センサの代わりに、他のセンサも長さ測定に使用され得る。
【０００７】
更なる実施形態において、スライダ上に回路基板が設けられ、回路基板は動きセンサ及び製品のストックを記録するためのセンサを備える。回路基板はまた、評価用電子機器を備えて、更に獲得したデータを処理する。更に、通信ユニットが回路基板又はスライダに設けられて、測定データをスライダから離れた位置にある制御ユニットに転送する。例えば制御ユニットは、ショッピングセンタ又は他の場所に設置されて、製品の除去を通知する。
【０００８】
製品のストックを特定のコンパートメントに記録するスライダとセンサを割り当てるために、入力ユニットが提供されることが好ましく、スライダの識別により、除去された製品の識別が可能である。この目的から、評価用電子機器を備えた各回路基板に特定の識別を割り当てることができ、評価用電子機器はコンパートメント及び/又は製品に割り当てられている。
【０００９】
更なる実施形態において、装置の温度を評価用電子機器及び/又は制御ユニットに送信する温度センサが設けられている。温度センサは、センサのドリフト現象を較正するために使用され、従って測定に対する温度の影響を補償することができる。例えば、装置が冷蔵領域や暖かい食べ物のあるカウンタで使用される場合である。
【００１０】
本発明に従った装置におけるスライダは、付随的に動きセンサのキャリア及び製品のストックを記録するためのセンサとして機能することができるが、製品を除去領域に移動するための供給装置を形成することもできる。センサにキャリアが使用されると、対応するセンサを既存のスライダに簡単に後付けすることができる。キャリアは、様々なハウジングの形状を持つことができる。例えば、測定精度を高めるために、製品のストックを記録するセンサをスライダのガイド装置に隣接して配置する。例えば、製品のストックを記録するためのセンサの検査ウィンドウは、スライダのガイドから６ｃｍ未満、特に４ｃｍ未満に配置され得る。付随的に、比較的大きな設置スペースを必要とする電源は、例えばスライダに取り付けることができるフードによって、スライダの前面に配置され得る。これにより、スライダの前面にある製品のギャップをストッパまで縮小でき、測定精度も向上する。或いは、電源供給部もまたスライダの後側に配置され得る。
【００１１】
本発明に従った方法において、製品は最初に除去領域から除去されて、コンパートメントに配置されている他の製品を移動する。この滑り動作は、動きセンサを備えたバネで荷重を掛けられたスライダによって検出され得て、動きセンサの信号による製品のストックの検出のための測定をトリガーする。製品のストックは、スライダの動作の後に記録され、測定の継続時間と回数を最小限に抑えるために、スライダが静止している場合、連続して記録しないことが好ましい。
【図面の簡単な説明】
【００１２】
本発明は、添付の図面に示された幾つかの実施形態を参照して、以下により詳細に示される。
【図１】本発明に従った製品を供給する装置の斜視図である。
【図２】測定中の図1の装置の側面図である。
【図３】図２の装置のスライダの詳細な斜視図を示す。
【図４】図３のスライダ用のセンサシステムを備えたハウジングの分解斜視図である。
【図５】製品を供給する修正された装置の側面図である。
【図６】製品を供給する装置の他の実施形態を示す。
【図７】製品を供給する修正された装置の側面図である。
【図８Ａ】図７の測定デバイスを示す図である。
【図８Ｂ】図７の測定デバイスを示す図である。
【図９Ａ】測定デバイスを備えたスライダの他の実施形態を示す。
【図９Ｂ】測定デバイスを備えたスライダの他の実施形態を示す。
【図１０】測定デバイスを備えたスライダの他の実施形態の分解斜視図である。
【発明を実施するための形態】
【００１３】
製品を供給する装置１は、コンパートメント仕切り３又は他の壁によって１以上のコンパートメント２を備える。各コンパートメント２には、バネ５によってコンパートメント２の除去領域に予め張力が掛けられたスライダ４が割り当てられている。この目的のために、スライダ４は、輪郭９に沿って案内されて移動できるようになっており、輪郭９は任意に省くことができる。
アダプタレール８が除去領域の前部に設けられ、そこにストッパ６及びフロントパネル７が設けられ、コンパートメント２の最前部の物品のためのストッパを形成する。
【００１４】
図２にて、コンパートメント２は側面図で示されており、２つの製品１０がストッパ６とスライダ４との間に設けられた直方体のパッケージに配置されている。最前部の製品１０が除去領域１１から除去される場合、バネ５によって予め張力を掛けられたスライダ４は、ストッパ６の前にある上昇斜面１７を使用して、ストッパ６に対して残りの製品１０を移動させる。スライダ４は、輪郭９上で案内される下部スライダの部分と、下部スライダ４に担持されて下部スライダと一緒に移動する上部スライダ１２とを備える。上部スライダ１２は、既存のスライダ４に後付けすることもできる。上部スライダ１２には、製品のストックを記録するためのセンサが設けられており、このセンサは、後部壁１４又は他の構成要素によって反射される波ビーム１３を後部に向かって放出する光学センサを含む。反射ビームが光学センサに再び到達するまでの時間を測定することにより、スライダ４の位置を測定することができ、従って、コンパートメント２内のストック内の製品１０の数を決定することができる。そのようなセンサは、例えば参照されるドイツ公開公報202016105648号に記載される。
【００１５】
コンパートメント２は天井壁１５または隣接する棚の下側、及び除去領域１１を上方に制限する前部のウェブ１６を有する。これにより、除去領域１１のアクセス領域が減少し、同時に多数の製品を除去することがより困難になる。
【００１６】
図３はスライダ４を詳細に示す。スライダ４は、下側領域にウェブ形状のガイド要素４０を有し、該ガイド要素は輪郭９上の対応するガイドウェブと相互作用する。更にスライダ４は、最後尾の製品１０の後部に当接する供給板４１を備えている。バネは、箱形のハウジング４２に配置され、バネは特に、スライダ４を供給方向に引っ張るコイル巻き可能な帯バネである。更に、ハウジング４２にはレール部４３が設けられており、該レール部４３には、センサを含む上部スライダ１２が固定されている。
【００１７】
上部スライダ１２は図４に詳細に示される。回路基板３０が、第１のハウジング部２０と第２のハウジング部２１とを備えた箱形のハウジングに配置されている。第１のハウジング部２０は、レール部４３に固定することができる足要素２５の下部領域にガイドウェブ２６を含む。或いは、ガイドウェブ２６は輪郭９上で直接案内され得る。ハウジング部２０とハウジング部２１は、一緒にラッチされ、この目的のために、対応するラッチ突起２２とラッチウェブ２３が設けられており、ハウジング部２０とハウジング部２１が互いに差し込まれると、環境の影響から回路基板３０を保護する。
【００１８】
回路基板３０は、製品のストックを記録するためのセンサ３２に接続された評価用電子機器３１を含む。ストックを記録するためのセンサ３２は、光学センサ３３を含み、１つの光学センサ３３を介して電磁波を放射することができ、これは、ハウジング部２０上の観察窓または凹部２４を通して放射される。加えて、光学センサ３３は反射を検出して、コンパートメント２内の上部スライダ１２の位置を決定する。動きセンサ３６も回路基板３０上に設けられて、スライダ１２の動きを検出する。動きセンサ３６を使用して、センサ３２の測定をトリガーして、製品のストックを記録する。これにより、上部スライダ１２が移動した後にのみ測定が行われるが、１つの位置で静止している場合は継続的に測定されない。回路基板３０はまた、電力供給手段、特にバテリ又は蓄電池を含むことができ、これらは電力供給への配線を不要にする。
【００１９】
更に、ボタン３５を備えた入力ユニット３４が回路基板３０に設けられており、上部スライダ１２を特定のコンパートメント２、従って特定の製品１０に割り当てる。入力ユニット３４を介して、上部スライダ１２に識別を割り当てることができ、それにより、製品１０への割り当てが可能になる。
【００２０】
図５は、装置の修正された実施形態を示し、図２と同様の製品がコンパートメント２内の除去領域１１に搬送され(図１及び図２)、スライダ１２のみが設けられ、これは、スライダ４の上部のセンサのキャリアとしてもはや配置されていないが、図３及び図４の上部スライダ１２のキャリアとして機能するスライダ４は省略されている。このようにして、以前の実施形態ではスライダ全体の構成要素であった上部スライダ１２は、製品１０を搬送するためのスライダ自体を形成することもできる。以前の実施形態のように、スライダ１２は概略的に示すように、バネ１９によって供給方向に予め張力を掛けられて、バネ１９用の残りのデバイスがまた、この目的から設けられる。
【００２１】
図６は本発明に従った更なる実施形態を示し、製品は、ストッパ６の上に配置された除去領域１１に搬送され得る。しかし、この実施形態において、製品はスライダを介して搬送されるのではなく、支持具又はスライド面５０で提供され、支持具又はスライド面５０は、付随的に水平または傾斜の何れかに配置される。傾斜した構成では、製品は、最前部の製品が取り除かれると、重力によって自動的にストッパ６に移動することができる。この実施形態にて、輪郭９に沿って移動可能なスライダ１２が設けられており、輪郭９は側壁５１に設けられている。スライダ１２は最後の製品の後側に位置し、バネ１９を介して製品を供給方向に搬送するバネ力を生成し、又は製品を供給方向に搬送することなくスライダ１２が最後の製品に位置することを確実にする小さな力のみを生成する。付随的に、図６に示す実施形態にて、製品を供給方向に搬送する更なるスライダが配備され、供給運動のために第１のスライダ１２が設けられ、製品のストックを記録するために第２のスライダ１２が設けられている。
【００２２】
製品のストックを記録する方法において、最前の製品１０は最初に除去領域１１から引き出される。次に、残りの製品１０は、スライダ４又は重力、または製品を搬送するための他の手段によって動かされ、残りの製品１０はバネ１９又は５によって製品１０に向けて予め張力を掛けられたスライダによって検出され、スライダは対応する動きセンサ３６を有する。動きセンサ３６は、スライダ１２の動きを検出し、従って測定プロセスを開始して、スライダ１２の位置を検出し、幾つの製品がコンパートメント２から除去されたかを検出することができる。スライダ１２が動かなくなり、静止したままになると、スライダ１２が再び動くまで測定プロセスは終了する。付随的に、測定手順は、スライダ１２の移動中に特定の間隔でのみ実行され、在庫が最小になるのを記録するためのエネルギー消費を削減する。
【００２３】
付随的な温度センサをスライダ１２の回路基板３０に設けて、測定結果に対する温度の影響を減らすことができる。通信ユニットを使用して、収集したデータを、たとえばBluetooth(登録商標)Low Energyを介して制御ユニットにワイヤレスで送信され得る。
例えば、動きセンサは、例えば、加速度センサとして構成することができ、加速中に製品のストックを記録する測定をトリガーする。次に、スライダ１２は供給運動の開始時に加速され、加速度センサによる初期測定がトリガーされる。最前部の製品がストッパ６に支えられているためにスライダ１２が再びブレーキをかけられた場合、これは、加速度センサによって再度検出され、さらに測定がトリガーされ、２回の測定のみで、各コンパートメント２の在庫を確実に記録することができる。
【００２４】
図７は、製品を供給するための装置１'を示し、製品を供給するためのスライダ４’は、水平に対して傾斜した棚２’上で、任意に棚２’上に配置された輪郭上で移動できる。スライダ４’は、製品を前部のストッパ６’に押し、製品のストックを記録するための測定装置１２’を担持する。装置１'に隣接するコンパートメントは、コンパートメント仕切り３によって互いに分離されている。測定装置１２’は、スライダ４'の動きを検出する動きセンサを備え、それによりコントローラをオンにして、更なるセンサを介して製品のストックの検出を実行する。この更なるセンサは距離測定用の光学センサであり、例えば製品のストックを記録する位置を決定するために、棚の後部壁１４'または製品容器と相互作用することができることが好ましい。棚２’の傾斜は、棚に応じて、０°から４５°の間、好ましくは５°から３０°の間で設定され得る。
【００２５】
図８Ａ及び図８Ｂにて、測定装置１２’が詳細に記載される。測定装置１２’は、スライダ４Ａとは別に構成されたハウジングを備え、第１のハウジング部２０’はポット形状であり、側部の第２のハウジング部２１’によって閉じることができる。測定装置１２’は、スライダ４’のプレートの裏側に位置する前側を有し、測定装置１２’のハウジングの前側及び後側は平行に向けられておらず、互いに傾斜している。これにより、たとえ棚２’が水平に対して傾斜して配向されていても、スライダ４'のプレートは大凡垂直のままであることができる。オプションとして、商品のストックを記録するための光学センサの測定方向も、水平方向ではなく水平方向に傾けることができる。
【００２６】
クランプ６０がハウジング部２０'、２１’を備えたハウジングに設けられ、これは測定装置１２'のスライダ４'への取り外し可能な固定に役立つ。この目的から、クランプ６０は、ハウジング部２０'のウェブ６１に差し込まれる第１の受け部と、測定装置１２'がスライダ４にクランプされるように、スライダ４のウェブに差し込まれる第２の受け部を有する。これは、既存の製品供給装置を使用しても、測定装置１２'をスライダ４又は４'に簡単に後付けできることを意味する。付随的に、スライダ４'は、測定装置１２'を収容するハウジングを形成することもできるため、機械的な固定は不要である。
【００２７】
ハウジング部２０'、２１’は供給方向に平行に延びる垂直分割面によって細分されている。第２のハウジング部２１’は、係止突起２２’に係止可能なブラケット形状の係止バー２３’を備える。以前の実施形態にて既に説明したように、回路基板３０が、製品の在庫を記録するためのセンサを有するポット形状のハウジング部２０'に設けられている。
ハウジング部２０'はまた、バッテリの形の電源供給部を備え、該電源供給部は接点３８、３９を介して回路基板３０上のセンサに電源を供給する。バッテリ３７は円筒形又は他の形状のボタン電池として供給される。
【００２８】
図９Ａ及び図９Ｂにおいて、上述のスライダ４は、修正された測定装置を備えている。フード４５が供給板４１上に設けられており、これは上から取り付けられ、ラッチ手段４６を使用して供給板４１に固定される。フード４５は、供給板４１を包囲し、内側に挿入運動のためのガイド手段を有する。フード４５には２つのバッテリ３７が設けられており、これらは接点３８及び３９によって接触され、回路基板５６上のセンサの電力供給に役立つ。回路基板５６は、フード４５内に配置されるのではなく、箱形のハウジング４２の上側４４上の供給板４１の背面側のホルダ５５内に配置される。この目的から、センサを備えた回路基板５６は、ホルダ５５に挿入され、ホルダ５５は、ホルダのラッチングウェブ５９によって固定されるカバー５８によって閉じられる。回路基板上のセンサは、後壁までの距離を測定するために、ホルダ５５の窓５７から放射を発する。或いは、フード４５上又はフード４５内のセンサにより、製品のストックを前側の固定点まで検出するために、光学距離測定を実行することが可能である。
【００２９】
図１０は他の実施形態を示し、修正された測定装置がスライダ４上に配備されている。測定装置は、スライダ４のハウジング４２の上側４４に配置されたバッテリ３７用の受け部６１を備えた角形ハウジング６０を備えている。第２の受け部６２は、ハウジング４２の後側で、一部は上側４４の下に配置され、回路基板６４を収容する働きをし、回路基板６４には、製品のストックを記録するセンサが設けられる。距離センサ用の見通しウィンドウ６５は、受け部６２の後部開口部に配置され、見通しウィンドウは、ハウジング４２の上側４４の下に配置される。これにより、製品のストックを検出するためにセンサを特に低く配置でき、測定精度が向上する。センサの見通しウィンドウ６５は、ガイド要素４０の輪郭９のガイドの上方４ｃｍ未満に配置されるのが好ましい。受け部６１及び６２はカバー６６にて閉じられる。更に、受け部６２の下部にて、ハウジング４２の後部のポケットに挿入できる前方に突出したウェブ６８がある。ウェブ６８は、ハウジング４２内のバネ１９の巻きの一部を取り囲む円弧状の補強リブ６７によって保持されている。
【００３０】
全ての実施形態において、入力要素又はプローブが測定装置１２’を較正するために提供される。入力要素を使用して、スライダ４又は４'を動かさずに測定工程をトリガーすることができる。例えば、製品供給の前部ストッパ６又は６'でスライダ４又は４'の終了位置を定義することができる。
更に、実施形態の例は、ハウジング形態、電源、及び測定機器の配置に関して互いに組み合わせることができる。
【００３１】
１、１‘      装置
２            コンパートメント
２‘          棚
３          コンパートメント仕切り
４、４‘    スライダ
５          バネ
６、６‘    ストッパ
７          フロントパネル
８          アダプタレール
９          輪郭
１０        製品
１１        除去領域
１２        上部スライダ
１３        波ビーム
１４、１４‘  後壁
１５        天井壁
１６        ウエブ
１７        斜面
１９        バネ
２０、２０‘  ハウジング部
２２、２２‘  ラッチ突起
２３、２３‘  ラッチウェブ
２４        凹部
２５        足要素
２６        ガイドウエブ
３０        回路基板
３１        評価用電子機器
３２        センサ
３３        センサ
３４        入力ユニット
３５        ボタン
３６        動きセンサ
３７        バッテリ
３８        接点
３９        接点
４０        ガイド要素
４１        供給板
４２        ハウジング
４３        レール部
４４        上側
４５        フード
４６        ラッチ手段
５０        スライド面
５１        側壁
５５        ホルダ
５６        回路基板
５７        ウィンドウ
５８        カバー
５９        ラッチングウェブ
６０        ハウジング
６１        受け部
６２        受け部
６３        開口
６４        回路基板
６５        見通しウィンドウ
６６        カバー
６７        強化リブ
６８        ウエブ
【図１】
2020508833.tif 000003
【図２】
2020508833.tif 000004
【図３】
2020508833.tif 000005
【図４】
2020508833.tif 000006
【図５】
2020508833.tif 000007
【図６】
2020508833.tif 000008
【図７】
2020508833.tif 000009
【図８Ａ】
2020508833.tif 000010
【図８Ｂ】
2020508833.tif 000011
【図９Ａ】
2020508833.tif 000012
【図９Ｂ】
2020508833.tif 000013
【図１０】
2020508833.tif 000014
【手続補正書】
【提出日】令和1年6月21日(2019.6.21)
【手続補正１】
【補正対象書類名】明細書
【補正対象項目名】０００２
【補正方法】変更
【補正の内容】
【０００２】
米国特許第８２６０４５６号は、製品コンパートメントにスライダが設けられ、それにより製品を除去領域に運ぶことができる製品を供給するための装置を開示している。スライダがレールに沿って案内され、センサが除去領域の反対側の後部領域に提供され、センサによってスライダの位置を検出することができる。スライダの位置を記録することにより、継続的な在庫監視が実行される。しかし、製品のストックを記録するための構造的支出が個々のコンパートメントで高いことは不利であり、更に継続的な在庫監視のために、高いエネルギーの必要があり、電力グリッドへの接続が必要である。
米国公開公報２０１１/０３０４３１６号は、製品のストックを検出するために、プリント基板に沿って移動可能なセンサを備えた供給装置を開示している。
【手続補正２】
【補正対象書類名】特許請求の範囲
【補正対象項目名】全文
【補正方法】変更
【補正の内容】
【特許請求の範囲】
【請求項１】
複数の製品(１０)を貯蔵するためのコンパートメント(２)と反対側の除去領域(１１)を備え、製品(１０)を供給するための装置(１)に関し、コンパートメント上にて１以上の製品(１０)が除去領域(１１)に除去されて、除去領域(１１)上にてバネによって予め張力を掛けられたスライダ(４、１２)が１つの製品(１０)に対して位置し、製品(１０)が除去されるとき供給方向に動かされ、
製品のストックを記録するためのセンサがスライダ(４、１２)上に配備されて、該センサはスライダとともに移動可能であり、且つ動きセンサ(３６)がスライダ(４、１２)上に配置されて、該動きセンサによってスライダ(４、１２)の動きが検出されて、スライダ(４、１２)が動くときに、製品のストックを記録する少なくとも１つの測定が実行される装置(１)において、
製品のストックを記録するためのセンサは、距離測定を実行する光学センサ(３３)であり、固定点、例えば後壁に対するスライダ(４、１２)の位置の検出が実行され、除去領域とスライダの間に前後に配置された製品の長さが計算され、コンパートメント内にまだある製品の数も、製品の厚さの関数として決定される、装置(１)。
【請求項２】
スライダ(４、１２)の位置の検出は、後壁に対して行われる、請求項１に記載の装置。
【請求項３】
スライダ(１２、１２‘)上に回路基板(３０、５６、６４)が設けられ、回路基板は動きセンサ(３６)及び製品のストックを記録するためのセンサを備える、請求項１又は２に記載の装置。
【請求項４】
回路基板(３０、５６、６４)上に評価用電子機器(３１)が配備された、請求項３に記載の装置。
【請求項５】
回路基板(３０、５６、６４)は、スライダ(４)に取り外し可能に固定されたホルダ(５５)又はハウジング(２０、２１；２０‘、２１’、６０)上、又はホルダ(５５)又はハウジング(２０、２１；２０‘、２１’、６０)内に配置された、請求項３又は４に記載の装置。
【請求項６】
通信ユニットがスライダ(１２、１２‘)上に配備され、該スライダによって測定データが制御ユニットに送信される、請求項１乃至５の何れかに記載の装置。
【請求項７】
スライダ(１２、１２‘)及び製品のストックを記録するためのセンサを特定のコンパートメントに割り当てるための入力ユニット(３４)が配備されて、スライダ(１２、１２’)の識別によって除去された製品(１０)の識別が可能になる、請求項１乃至６の何れかに記載の装置。
【請求項８】
装置における温度を、評価用電子機器(３１)及び/又は制御ユニットに送信する温度センサが設けられた、請求項１乃至７の何れかに記載の装置。
【請求項９】
スライダ(４、１２、１２‘)は製品(１０)を除去領域(１１)に供給する供給装置として構成された、請求項１乃至８の何れかに記載の装置。
【請求項１０】
電源供給部(３７)がスライダ(１２)に、又はスライダ(１２)内に配備された、請求項１乃至９の何れかに記載の装置。
【請求項１１】
複数の製品(１０)を有するコンパートメント(２)における製品のストックを記録する方法であって、
除去領域(１１)から製品(１０)を引き出すステップと、
他の製品(１０)をコンパートメント(２)に残すようにシフトするステップと、
バネによって予め張力を掛けられ、その上に動きセンサ(３６)を有するスライダ(４、１２、１２‘)によってスライドの動きを検出するステップと、
製品のストックを記録するためにセンサの測定をトリガーするステップであって、センサは、スライダ(４、１２)上に配置されて動きセンサ(３６)の信号によって製品のストックを記録するためにスライダとともに移動可能であるステップを備え、
固定点、例えば後壁に対するスライダ(４、１２)の位置の検出が実行され、除去領域とスライダの間に前後に配置された製品の長さが計算され、コンパートメント内にまだある製品の数も、製品の厚さの関数として決定される、方法。
【請求項１２】
スライダが再び静止したときは、製品のストックを記録するための測定は、スライダ(４、１２、１２‘)が移動した後に行なわれる、請求項１１に記載の方法。
【国際調査報告】
2020508833.tif 000015
2020508833.tif 000016
2020508833.tif 000017
2020508833.tif 000018
2020508833.tif 000019
2020508833.tif 000020